(57)【特許請求の範囲】
【請求項１】
室外ユニット（２０）と室内ユニット（４０）とが伝送線で接続された状態にて使用される空気調和装置（１０）であって、
室外ケーシング（２１）及び室内ケーシング（４１）と、
前記室外ケーシング内に配置されており、前記室内ユニットとの間を循環する冷媒を圧縮する圧縮機（２２）と、
前記室内ケーシング内に配置されており、前記室内ケーシングの吸込口（４１ａ）から吸込まれた空気と前記冷媒との間で熱交換を行わせる熱交換器（４３）と、
前記室内ケーシング内に配置されており、前記吸込口から空気を吸込ませると共に前記室内ケーシングの吹出口（４１ｂ）から空調対象空間へと熱交換後の空気を吹き出させる室内ファン（４２）と、
前記室内ファンをインバータ制御するファン制御部（５５）と、
前記空気調和装置に印加される電源が停電状態から復電状態へと移行した電源復帰時に、前記室外ユニットと前記室内ユニットとの間の伝送確認処理を実行する伝送制御部（３２，５３）と、
を備え、
前記ファン制御部は、前記電源復帰時、前記伝送制御部による前記伝送確認処理と並行して前記室内ファンを駆動させる確定前駆動処理を実行する、
空気調和装置（１０）。
【請求項２】
前記電源が停電状態に移行する直前の前記空気調和装置の運転状態を記憶する第１記憶部（５２）と、
前記電源復帰時、前記第１記憶部が記憶している前記空気調和装置の運転状態に基づいて、前記確定前駆動処理を実行すべきか否かを判断する判断部（５４）と、
を更に備え、
前記確定前駆動処理を実行すべきと前記判断部が判断した場合、前記ファン制御部は、前記吹出口から吹き出される空気量が所定量となるように、前記室内ファンを所定回転数にて駆動させるための駆動信号を決定し、該駆動信号によって前記室内ファンを駆動させる前記確定前駆動処理を実行する、
請求項１に記載の空気調和装置（１０）。
【請求項３】
前記電源が停電状態に移行する直前の前記室内ファンの運転状態を記憶する第２記憶部（５２）、
を更に備え、
前記ファン制御部は、前記電源復帰時、前記第２記憶部が記憶している前記室内ファンの運転状態に基づいて前記室内ファンを駆動させるための駆動信号を決定し、該駆動信号によって前記室内ファンを駆動させる前記確定前駆動処理を実行する、
請求項１に記載の空気調和装置（１０）。
【請求項４】
前記電源復帰時から第１所定時間経過した時に前記伝送確認処理が完了していない場合、前記確定前駆動処理を停止する処理停止部（３６，５７）、
を更に備える、
請求項１から３のいずれか１項に記載の空気調和装置（１０）。
【請求項５】
前記電源復帰時から前記第１所定時間経過した時に前記伝送確認処理が完了していない場合、その旨を報知する報知部（４４）、
を更に備える、
請求項４に記載の空気調和装置（１０）。
【請求項６】
前記電源が停電状態から復電状態に移行するまでの時間が第２所定時間経過した時、前記ファン制御部は、前記確定前駆動処理を実行しない、
請求項１から５のいずれか１項に記載の空気調和装置（１０）。
【請求項７】
前記伝送確認処理が完了した後に前記圧縮機を運転させる圧縮機制御部（３３）、
を更に備える、
請求項１から６のいずれか１項に記載の空気調和装置（１０）。
【発明の詳細な説明】
【技術分野】
【０００１】
本発明は、空調調和装置、特に、室外ユニットと室内ユニットとが伝送線で接続された状態にて使用される空気調和装置に関する。
【背景技術】
【０００２】
従来より、屋外に設置される室外ユニットと、空調対象空間もしくは該空間付近に設置される室内ユニットとによって構成されたセパレートタイプの空気調和装置がある。このような空気調和装置としては、例えば特許文献１（特開２０１０−２６１６２３号公報）に示されるように、サーバルームを空調対象空間とし、該ルーム内に対して冷房運転を行うものがある。サーバルーム内には、サーバ等である熱源が設置されているため、該ルーム内の温度は上昇し易い傾向にある。しかし、冷房運転を行う空気調和装置が設置されることにより、サーバルーム内の温度は、ほぼ一定に保たれる。
【発明の概要】
【発明が解決しようとする課題】
【０００３】
空気調和装置は、外部から電源を供給されることで、冷房運転を行うことが可能となる。しかし、例えば電源にかかる負荷の一時的な増加や落雷等によって、停電が発生することがある。すると、空気調和装置には電源が供給されなくなるため、空気調和装置は冷房運転を停止してしまう。一方で、サーバルームには、停電に備えて、サーバ用の発電機が用意されていることが多い。従って、停電時においても、サーバは動いて発熱をし続けるため、その結果、サーバルーム内の温度が上昇してしまう傾向にある。
【０００４】
そのため、電源の復帰時には、なるべく早くに空気調和装置、特に室内ファンを立ち上げることが望まれる。
【０００５】
そこで、本発明の課題は、電源の復帰後、直ちに室内ファンを駆動することにある。
【課題を解決するための手段】
【０００６】
本発明の第１観点に係る空気調和装置は、室外ユニットと室内ユニットとが伝送線で接続された状態にて使用される空気調和装置である。この空気調和装置は、室外ケーシングと、室内ケーシングと、圧縮機と、熱交換器と、室内ファンと、ファン制御部と、伝送制御部とを備える。圧縮機は、室外ケーシング内に配置されており、室内ユニットとの間を循環する冷媒を圧縮する。熱交換器は、室内ケーシング内に配置されており、室内ケーシングの吸込口から吸込まれた空気と冷媒との間で熱交換を行わせる。室内ファンは、室内ケーシング内に配置されており、吸込口から空気を吸込ませると共に、室内ケーシングの吹出口から空調対象空間へと熱交換後の空気を吹き出させる。ファン制御部は、室内ファンをインバータ制御する。伝送制御部は、電源復帰時に、室外ユニットと室内ユニットとの間の伝送確認処理を実行する。電源復帰時とは、空気調和装置に印加される電源が、停電状態から復電状態へと移行した時である。そして、ファン制御部は、電源復帰時、伝送制御部による伝送確認処理と並行して室内ファンを駆動させる確定前駆動処理、を実行する。
【０００７】
この空気調和装置では、室外ユニットと室内ユニットとの間の伝送確認処理と並行して、室内ファンが単独で運転を行う。そのため、室内ファンは、復電してから直ちに駆動することができる。従って、空調対象空間が、室内ファンを早急に動かす必要のある場所（例えば、サーバールーム等）であって、停電及び復電が生じても、空気調和装置は、当該空間の温度をある程度一定に保つことができる。
【０００８】
本発明の第２観点に係る空気調和装置は、第１観点に係る空気調和装置であって、第１記憶部と、判断部とを更に備える。第１記憶部は、電源が停電状態に移行する直前の空気調和装置の運転状態を記憶する。判断部は、電源復帰時、第１記憶部が記憶している空気調和装置の運転状態に基づいて、確定前駆動処理を実行すべきか否かを判断する。そして、確定前駆動処理を実行すべきと判断部が判断した場合、ファン制御部は、確定前駆動処理を実行する。この確定前実行処理においては、吹出口から吹き出される空気量が所定量となるように、室内ファンを所定回転数にて駆動させるための駆動信号が決定され、この駆動信号によって室内ファンが駆動される。
【０００９】
これにより、停電状態に移行する直前の空気調和装置の運転状態に応じて、電源復帰後、室内ファンは、伝送制御部による伝送確認処理と並行して、所定量の空気を空調対象空間内に供給させるべく所定回転数にて運転する場合がある。従って、本来であればインバータ駆動される室内ファンを、電源復帰時であっても確実に運転させることができる。
【００１０】
本発明の第３観点に係る空気調和装置は、第１観点に係る空気調和装置であって、第２記憶部を更に備える。第２記憶部は、電源が停電状態に移行する直前の室内ファンの運転状態を記憶する。ファン制御部は、電源復帰時、第２記憶部が記憶している室内ファンの運転状態に基づいて、室内ファンを駆動させるための駆動信号を決定する。そして、ファン制御部は、該信号によって室内ファンを駆動させる確定前駆動処理、を実行する。
【００１１】
これにより、電源復帰後、室内ファンは、停電直前の運転状態を表す駆動信号により駆動する。従って、電源復帰時であっても、インバータ駆動される室内ファンを、停電直前の状態で引き続き運転させることができる。
【００１２】
本発明の第４観点に係る空気調和装置は、第１観点から第３観点のいずれかに係る空気調和装置であって、処理停止部を更に備える。処理停止部は、電源復帰時から第１所定時間経過した時に伝送確認処理が完了していない場合、確定前駆動処理を停止する。
【００１３】
室外ユニットと室内ユニットとの間の伝送確認処理がなかなか完了しない場合には、両ユニット間の伝送異常等が生じている虞がある。そこで、この空気調和装置は、電源復帰時から第１所定時間経過しても、未だ伝送確認処理が完了していない場合には、伝送確認処理と並行して行われている確定前駆動処理（即ち、室内ファンの単独運転）を停止する。これにより、伝送異常等が生じている一方で室内ファンが運転をし続けていることを、防止することができる。
【００１４】
本発明の第５観点に係る空気調和装置は、第４観点に係る空気調和装置であって、報知部を更に備える。報知部は、電源復帰時から第１所定時間経過した時に伝送確認処理が完了していない場合、その旨を報知する。
【００１５】
これにより、伝送が確定していない異常状態であることを、空気調和装置のユーザやサービスマンは容易に知ることができる。
【００１６】
本発明の第６観点に係る空気調和装置は、第１観点から第５観点のいずれかに係る空気調和装置であって、電源が停電状態から復電状態に移行するまでの時間が第２所定時間経過した時、ファン制御部は、確定前駆動処理を実行しない。
【００１７】
これにより、停電状態から復電状態へと移行する間に冷媒が溜まってしまい、故に圧縮機等が正常に動作しない恐れがある一方で、室内ファンが単独運転している状態を、防止することができる。
【００１８】
本発明の第７観点に係る空気調和装置は、第１観点から第６観点のいずれかに係る空気調和装置であって、圧縮機制御部を更に備える。圧縮機制御部は、伝送確認処理が完了した後に、圧縮機を運転させる。
【００１９】
これにより、室外ユニットと室内ユニットとの間の伝送が正常だと確認された上で、圧縮機は運転を開始する。従って、空気調和装置は、正常な運転を行うことができる。
【発明の効果】
【００２０】
本発明の第１観点に係る空気調和装置は、空調対象空間が、室内ファンを早急に動かす必要のある場所（例えば、サーバールーム等）であって、停電及び復電が生じても、当該空間の温度をある程度一定に保つことができる。
【００２１】
本発明の第２観点に係る空気調和装置は、本来であればインバータ駆動される室内ファンを、電源復帰時であっても確実に運転させることができる。
【００２２】
本発明の第３観点に係る空気調和装置は、電源復帰時であっても、インバータ駆動される室内ファンを、停電直前の状態で引き続き運転させることができる。
【００２３】
本発明の第４観点に係る空気調和装置は、伝送異常等が生じている一方で室内ファンが運転をし続けていることを、防止することができる。
【００２４】
本発明の第５観点に係る空気調和装置によると、伝送が確定していない異常状態であることを、空気調和装置のユーザやサービスマンは容易に知ることができる。
【００２５】
本発明の第６観点に係る空気調和装置は、停電状態から復電状態へと移行する間に冷媒が溜まってしまい、故に圧縮機等が正常に動作しない恐れがある一方で、室内ファンが単独運転している状態を、防止することができる。
【００２６】
本発明の第７観点に係る空気調和装置は、正常な運転を行うことができる。
【図面の簡単な説明】
【００２７】
【図１】本発明の一実施形態に係る空気調和装置の設置例を表した図。
【図２】本発明の一実施形態に係る空気調和装置の概略構成図。
【図３】室外側制御基板及び室内側制御基板それぞれに接続された各種機器を模式的に示すブロック図。
【図４】停電状態である時間が第２所定時間以内であり、且つ電源復帰時から第１所定時間以内に伝送確認処理が完了した場合の、商用電源、室内ファン制御部、各伝送制御部、圧縮機制御部それぞれの動作を表す、タイミングチャート。
【図５】停電状態である時間が第２所定時間以内であるが、電源復帰時から第１所定時間以内に伝送確認処理が完了していない場合の、商用電源、室内ファン制御部、各伝送制御部、圧縮機制御部それぞれの動作を表す、タイミングチャート。
【図６】停電状態である時間が第２所定時間以上の場合の、商用電源、室内ファン制御部、各伝送制御部、圧縮機制御部それぞれの動作を表す、タイミングチャート。
【図７】本実施形態に係る室外ユニット及び室内ユニットそれぞれが行う一連の動作の流れを表す図。
【発明を実施するための形態】
【００２８】
以下、本発明に係る空気調和装置について、図面を参照しつつ詳述する。なお、以下の実施形態は、本発明の具体例であって、本発明の技術的範囲を限定するものではない。
【００２９】
（１）空気調和装置の全体構成
図１は、本発明の一実施形態に係る空気調和装置１０の設置例を表した図である。図２は、この空気調和装置１０の概略構成図である。
【００３０】
図１に示すように、空気調和装置１０は、屋外に設置される室外ユニット２０と、空調対象空間ＲＭ付近に設置される室内ユニット４０とで構成された、いわゆるセパレート型の空調機である。特に、本実施形態では、空気調和装置１０が電算機用空調機であって、空調対象空間ＲＭがコンピュータのサーバルーム等である場合を例に採る。即ち、空気調和装置１０は、サーバＳＡ等の熱源が設置されているサーバルーム内を一定の温度に保つべく、熱源の熱を拡散させるために用いられる。従って、空気調和装置１０は、季節を問わず、一年を通じて冷房運転を通常運転として行う。
【００３１】
そして、図１及び図２に示すように、室外ユニット２０及び室内ユニット４０は、それぞれが実際に使用されるべき場所に設置された状態にて、冷媒配管Ｐｉ１，Ｐｉ２によって互いに接続されている。冷媒配管Ｐｉ１，Ｐｉ２は、各ユニット２０，４０内を循環する冷媒が通るための配管であって、これにより蒸気圧縮式の冷媒回路１０ａが構成されている。更に、各ユニット２０，４０は、それぞれが実際に使用されるべき場所に設置された状態にて、伝送線Ｌ１によっても互いに接続されている。伝送線Ｌ１は、各ユニット２０，４０の間で通信を行うために用いられる配線である。
【００３２】
このような空気調和装置１０は、図示してはいないが、商用電源が印加されるようになっている。商用電源の印加により、空気調和装置は、冷房運転を通常運転として行うことができる。
【００３３】
（２）室外ユニット
室外ユニット２０は、図１〜３に示すように、主として、室外ケーシング２１、圧縮機２２、室外熱交換器２３、膨張弁２４、液側閉鎖弁２５、ガス側閉鎖弁２６、アキュムレータ２７、室外ファン２８、及び室外側制御基板３０を有している。
【００３４】
（２−１）室外ケーシング
室外ケーシング２１は、略直方体の形状を有しており、屋外の床に設置される。室外ケーシング２１の内部には、圧縮機２２、室外熱交換器２３、膨張弁２４、液側閉鎖弁２５、ガス側閉鎖弁２６、アキュムレータ２７、室外ファン２８及び室外側制御基板３０が収容されている。
【００３５】
また、図１に示すように、室外ケーシング２１には、外気を該ケーシング２１内部に取り込むための吸入開口部２１ａ、及び熱交換後の外気を該ケーシング２１外部に排出するための排出開口部２１ｂなどが形成されている。
【００３６】
（２−２）圧縮機
圧縮機２２は、低圧のガス冷媒を吸入し、圧縮して高圧のガス冷媒とした後に吐出することで、室外ユニット２０と室内ユニット４０との間を循環する冷媒を圧縮する機構である。ここでは、圧縮機２２として、圧縮機用ケーシング（図示せず）内に収容されたロータリ式やスクロール式等の容積式の圧縮要素（図示せず）が、同じく圧縮機用ケーシング内に収容された圧縮機モータＭ２２（図２，３）を駆動源として駆動される密閉式圧縮機が採用されており、これにより圧縮機２２の容量制御が可能になっている。即ち、圧縮機２２は、容量可変自在なタイプの圧縮機である。
【００３７】
圧縮機モータＭ２２は、３相のブラシレスＤＣモータであって、複数の駆動コイルで構成されるステータと、永久磁石で構成されるロータと、ステータに対するロータの位置を検出するためのホール素子等を有している。
【００３８】
（２−３）室外熱交換器
室外熱交換器２３は、空気調和装置１０が冷房運転を通常運転として行う際、冷媒の放熱器として機能する。室外熱交換器２３は、その液側が膨張弁２４に接続されており、ガス側が圧縮機２２の吐出側に接続されている。このような室外熱交換器２３は、例えば、伝熱管とフィンとを有するフィンチューブ型熱交換器で構成されており、吸入開口部２１ａを介して室外ケーシング２１内に吸い込まれた外気と冷媒との間で、熱交換を行わせる。
【００３９】
（２−４）各種弁及びアキュムレータ
膨張弁２４は、電動膨張弁で構成されている。膨張弁２４は、空気調和装置１０が冷房運転を行う際、室外熱交換器２３において放熱した高圧の液冷媒を室内熱交換器４３に送る前に減圧する。
【００４０】
液側閉鎖弁２５及びガス側閉鎖弁２６は、冷媒配管Ｐｉ１，Ｐｉ２の接続口に設けられた弁である。室外ケーシング２１内部において、液側閉鎖弁２５は、膨張弁２４に接続されており、ガス側閉鎖弁２６は、アキュムレータ２７に接続されている。
【００４１】
アキュムレータ２７は、ガス側閉鎖弁２６と圧縮機２２の吸入側との間に位置している。アキュムレータ２７は、冷媒回路１０ａ内を循環する冷媒を、圧縮機２２の吸入側において一時的に溜めるための液溜容器である。
【００４２】
（２−５）室外ファン
室外ファン２８は、外気を、吸入開口部２１ａを介して室外ケーシング２１内に吸入して室外熱交換器２３に供給する。そして、室外ファン２８は、室外熱交換器２３に供給され冷媒との間で熱交換された後の外気を、排出開口部２１ｂを介して室外ケーシング２１の外部に排出する。室外ファン２８としては、例えばプロペラファンが採用されており、室外ファンモータＭ２８（図２，３）を駆動源として回転駆動され、これにより風量制御が可能になっている。室外ファンモータＭ２８は、ブラシレスＤＣモータであって、ステータ、ロータ及びホール素子等を有している。
【００４３】
なお、図２では、例えば室内ユニット４０側の室内ファン４２における風量との釣り合い等の観点から、室外ユニット２０は、２台の室外ファン２８を有している。２台の室外ファン２８は、１つの室外ファンモータＭ２８によって駆動することができるようになっているため、同じタイミングで運転または停止を行うことができるようになっている。
【００４４】
（２−６）室外側制御基板
図１，３に示すように、室外側制御基板３０は、伝送線Ｌ１を介して室内ユニット４０内の室内側制御基板５０（後述）と接続されている。また、図３に示すように、室外側制御基板３０は、室外ケーシング２１内部において、圧縮機モータＭ２２を介して圧縮機２２と接続されており、室外ファンモータＭ２８を介して室外ファン２８と接続されている。更に、室外側制御基板３０は、室外ケーシング２１内部において、膨張弁２４とも接続されている。このような室外側制御基板３０は、室内ユニット４０との通信を行ったり、該基板３０に接続されている各種機器の制御を行ったりする。
【００４５】
なお、本実施形態に係る室外側制御基板３０が詳細にはどのような制御を行うかについては、「（４）空気調和装置の制御系について」にて説明する。
【００４６】
その他、室外ユニット２０は、図２に示すように、室外温度センサ２９ａ、室外熱交温度センサ２９ｂ、吸入側圧力センサ２９ｃ等の各種センサも有している。室外温度センサ２９ａは、室外ケーシング２１の吸入開口部２１ａ付近に設けられており、該開口部２１ａから室外ケーシング２１内部へと吸い込まれる外気の温度を検知する。室外熱交温度センサ２９ｂは、室外熱交換器２３の表面付近に設けられており、該熱交換器２３の温度を検知する。吸入側圧力センサ２９ｃは、圧縮機２２の吸入口付近に設けられており、圧縮機２２に吸入される冷媒の圧力を検知する。これらの各種センサにおける検知結果は、いずれも、室外側制御基板３０に入力され、様々な制御にて用いられる。
【００４７】
（３）室内ユニット
室内ユニット４０は、図１〜３に示すように、主として、室内ケーシング４１、室内ファン４２、室内熱交換器４３（熱交換器に相当）、室内側表示部４４（報知部に相当）、及び室内側制御基板５０を有している。
【００４８】
（３−１）室内ケーシング
図１に示すように、室内ケーシング４１は、略直方体の形状を有しており、空調対象空間ＲＭ付近の床に設置される。図１及び図２に示すように、室内ケーシング４１内部には、室内ファン４２、室内熱交換器４３及び室内側制御基板５０が収容されている。また、室内ケーシング４１の側面のうち、化粧パネルとして用いられる面には、室内側表示部４４が設けられている。
【００４９】
また、図１に示すように、室内ケーシング４１には、空調対象空間ＲＭ内の空気が該ケーシング４１内に吸い込むための吸い込み口４１ａや、冷却した空気を室内ケーシング４１から該ケーシング４１外部へと吹きだすための吹き出し口４１ｂ等が、形成されている。ここで、本実施形態に係る室内ケーシング４１は、空調対象空間ＲＭ付近に位置してはいるが、吸い込み口４１ａ及び吹き出し口４１ｂそれぞれは、図示しないダクトを介して空調対象空間ＲＭと繋がっている。吸い込み口４１ａは、空調対象空間ＲＭの天井面における開口部と繋がっており、吹き出し口４１ｂは、空調対象空間ＲＭの床面における開口部と繋がっている。従って、吸い込み口４１ａからは、空調対象空間ＲＭ内の空気が、ダクトを介して室内ケーシング４１内に吸い込まれることが可能となっている。吹き出し口４１ｂは、ダクトを介して空調対象空間ＲＭへと供給されることが可能となっている。
【００５０】
（３−２）室内ファン
室内ファン４２は、空調対象空間ＲＭ内の空気を吸い込み口４１ａを介して室内ケーシング４１内に吸い込むと共に、室内熱交換器４３にて熱交換された後の空気を吹き出し口４１ｂを介して室外ケーシング２１内から外部に吹き出す遠心送風機である。室内ファン４２は、例えばターボファンで構成され、室内ファンモータＭ４２（図２，３）を駆動源として回転駆動される。
【００５１】
なお、図２では、空調対象空間ＲＭ内を確実に一定の温度に保つべく、室内ユニット４０は、２台の室内ファン４２を有している。２台の室内ファン４２は、１つの室内ファンモータＭ４２によって駆動することができるようになっているため、同じタイミングで運転または停止を行うことができるようになっている。
【００５２】
（３−３）室内熱交換器
室内熱交換器４３は、空気調和装置１０が冷房運転を通常運転として行う際、冷媒の蒸発器として機能する。室内熱交換器４３は、各冷媒配管Ｐｉ１，Ｐｉ２に接続されており、例えば、伝熱管とフィンとを有するフィンチューブ型熱交換器で構成されている。室内熱交換器４３は、吸い込み口４１ａを介して室外ケーシング２１内に吸い込まれた空調対象空間ＲＭ内の空気と冷媒との間で、熱交換を行わせる。
【００５３】
（３−４）室内側表示部
室内側表示部４４は、例えば、複数の発光ダイオード等で構成されており、空気調和装置１０に関する各種情報を表示することができる。各種情報としては、空調対象空間ＲＭ内の温度、空気調和装置１０が実際に行っている運転の種類、各ユニット２０，４０の異常の有無等が含まれる。
【００５４】
（３−５）室内側制御基板
図１，３に示すように、室内側制御基板５０は、伝送線Ｌ１を介して室外側制御基板３０と接続されている。また、図３に示すように、室内側制御基板５０は、室内ケーシング４１内部において、室内ファンモータＭ４２を介して室内ファン４２と接続されており、室内側表示部４４とは直接接続されている。このような室内側制御基板５０は、室外ユニット２０との通信を行ったり、該基板５０に接続されている各種機器の制御を行ったりする。
【００５５】
なお、本実施形態に係る室内側制御基板５０が詳細にはどのような制御を行うかについては、「（４）空気調和装置の制御系について」にて説明する。
【００５６】
その他、室内ユニット４０は、図示してはいないが、吸込空気温度センサ等の各種センサを有している。吸込空気温度センサは、吸い込み口４１ａ付近に設けられており、吸い込み口４１ａを介して室内ケーシング４１内に吸い込まれた空気の温度、つまりは空調対象空間ＲＭ内の温度を検知する。
【００５７】
（４）空気調和装置の制御系について
ここで、本実施形態に係る空気調和装置１０の制御系について、図３〜図６を用いて説明する。空気調和装置１０の制御系を構成する主な要素としては、上述した室外側制御基板３０及び室内側制御基板５０が挙げられる。ここでは、これらの制御基板３０，５０の構成の詳細な構成及び動作について説明する。
【００５８】
なお、室外側制御基板３０及び室内側制御基板５０それぞれは、１枚のプリント基板にて構成されていてもよいし、複数のプリント基板にて構成されていてもよい。
【００５９】
（４−１）室外側制御基板の詳細
室外側制御基板３０は、ＣＰＵ、ＲＯＭ、ＲＡＭ、トランジスタ、コネクタ等の様々な電子部品がプリント基板上に複数個実装されてなる制御用の基板であって、既に述べたように、接続されている室外ユニット２０内の各種機器（圧縮機モータＭ２２等）の制御を行う。特に、空気調和装置１０に印加される商用電源が瞬間的に停電した後に復電した際、本実施形態に係る室外側制御基板３０は、室外ユニット２０を正常に再運転させるための復旧処理を行う。復旧処理には、主として、室内側制御基板５０との間の伝送に関する処理が含まれる。
【００６０】
このような制御動作及び処理を行うため、図３に示すように、室外側制御基板３０は、室外側インターフェース３１、室外側伝送制御部３２（伝送制御部に相当）、圧縮機制御部３３、膨張弁制御部３４、室外ファン制御部３５、及び室外側処理停止部３６（処理停止部に相当）として機能する。
【００６１】
（４−１−１）室外側インターフェース
室外側インターフェース３１は、室外側制御基板３０と室内側制御基板５０とを伝送線Ｌ１を介して通信可能に接続するためのものである。室外側インターフェース３１は、室内側制御基板５０側から各種情報を受信したり、該基板５０に各種情報を送信したりする。
【００６２】
ここで、室外側インターフェース３１が受信する情報としては、商用電源が停電状態から復電状態へと移行した電源復帰時に、室内側制御基板５０側から送られて来る伝送確認指示の他、後述する伝送確定情報、冷房運転を通常運転として行っている空気調和装置１０の運転情報等が挙げられる。室外側インターフェース３１が送信する情報としては、伝送確認指示に対する確認結果の他、空気調和装置１０が冷房運転を通常運転として行っている際における、圧縮機２２の異常の有無を表す異常情報、及び室外ファン２８の運転情報等が挙げられる。
【００６３】
（４−１−２）室外側伝送制御部
室外側伝送制御部３２は、図４〜６に示すように、電源復帰時に、各ユニット２０，４０間の伝送確認処理を実行する。具体的に、電源復帰時には、室内側インターフェース５１から室外側インターフェース３１へと伝送確認指示が送られて来る。この伝送確認指示が送られてきた場合、室外側伝送制御部３２は、伝送確認指示に対する応答、つまりは確認結果を生成する。即ち、伝送確認処理は、瞬間的に停電が生じた後に復電した際に、室外ユニット２０と室内ユニット４０との間で、通信が正常に行われるのか否かを、確認するための処理であると言える。
【００６４】
また、室外側伝送制御部３２は、室外側インターフェース３１が伝送確定情報を受信した場合、両ユニット２０，４０が通信を正常に行うことのできる状態にあると把握して、伝送確認処理を終了する。
【００６５】
（４−１−３）圧縮機制御部
圧縮機制御部３３は、複数のスイッチング素子で構成されるインバータ、及び該素子のオン及びオフを制御するゲートドライバ等で構成されている。圧縮機制御部３３は、圧縮機モータＭ２２をインバータ駆動させることで圧縮機２２を運転させると共に、圧縮機モータＭ２２の回転数制御等を行う。
【００６６】
特に、図４〜６に示すように、本実施形態に係る圧縮機制御部３３は、上述した伝送確認処理が行われている間、圧縮機モータＭ２２を駆動させる制御は行わない。従って、伝送確認処理が行われている間は、圧縮機２２は運転を停止した状態となっている。しかし、圧縮機制御部３３は、伝送確認処理が完了した後に室内側制御基板５０から送られて来る伝送確定情報に基づき、圧縮機モータＭ２２を駆動させることで、圧縮機２２の運転を開始させる。つまり、本実施形態では、電源復帰後であって、更に両ユニット２０，４０同士が通信可能であることが伝送確認処理にて確定された後に、圧縮機２２は運転を開始する。
【００６７】
このように、本実施形態において、伝送確認処理の完了後に圧縮機２２を運転させる動作が行われる理由は、空気調和装置１０の安全性を保つためである。ここで、仮に、伝送確認処理が完了していない状態にて圧縮機２２が運転する場合を考える。伝送確認処理が行われている間、室内ファン４２は、本格的には運転しておらず、ひいては殆ど回転していない可能性もある。室内ファン４２がこのような状態である一方で、圧縮機２２を運転させてしまうと、冷媒回路１０ａ内を循環する冷媒は、湿ってしまい、室内熱交換器４３において蒸発しなくなる。すると、蒸発しないままの液冷媒が圧縮機２２に吸入されることとなり、圧縮機２２が故障する虞がある。故に、本実施形態では、伝送確認処理が完了した後、つまりは、後述するように室内ファン４２が既に確実に運転している状態にて、圧縮機２２を起動させる動作が行われることにより、空気調和装置１０が故障する危険性を回避している。
【００６８】
（４−１−４）膨張弁制御部
膨張弁制御部３４は、例えば電動膨張弁である膨張弁２４の開度制御を行う。具体的には、膨張弁制御部３４は、膨張弁２４への電流の通電量を変化させたり、電流の通電時間を可変させたりする制御を行う。つまり、膨張弁制御部３４は、冷媒回路１０ａ内を循環する冷媒の流量を、膨張弁２４の開度の調整により調整すると言える。
【００６９】
また、膨張弁制御部３４は、圧縮機制御部３３と同様、本実施形態に係る伝送確認処理が行われている間、膨張弁２４への電流の通電を行わず、伝送確認処理が完了した後に、膨張弁２４への電流の通電を開始する。従って、膨張弁２４は、瞬間的に停電が生じその後復電した時、直ちには駆動せずに、伝送確認処理が完了してから駆動することとなる。
【００７０】
（４−１−５）室外ファン制御部
室外ファン制御部３５は、複数のスイッチング素子で構成されるインバータ、及び該素子のオン及びオフを制御するゲートドライバ等で構成されている。室外ファン制御部３５は、室外ファンモータＭ２８をインバータ駆動させることで室外ファン２８を運転させると共に、室外ファンモータＭ２８の回転数制御等を行う。
【００７１】
また、室外ファン制御部３５は、圧縮機制御部３３と同様、本実施形態に係る伝送確認処理が行われている間、室外ファンモータＭ２８を駆動させる制御は行わない。しかし、室外ファン制御部３５は、伝送確認処理が完了した後に、室外ファンモータＭ２８を駆動させる制御を開始する。従って、室外ファン２８は、瞬間的に停電が生じその後復電した時、直ちには運転せず、伝送確認処理が完了してから運転する。
【００７２】
（４−１−６）室外側処理停止部
既に述べているように、電源復帰時、両ユニット２０，４０の間で伝送確認処理が行われるが、図５に示すように、この伝送確認処理が比較的長い時間行われている場合には、室外側処理停止部３６は、室内ユニット４０側にて伝送確認処理と並行して行われている確定前駆動処理を停止させる。具体的には、室外側処理停止部３６は、電源復帰時から第１所定時間が経過しても、なおも伝送確認処理が行われている場合には、確定前駆動処理を強制的に停止するための停止信号を、室内側制御基板５０側に出力する。伝送確認処理に比較的長い時間が費やされていることから、両ユニット２０，４０間における通信異常が疑われるためである。通信異常としては、伝送線Ｌ１の断線、室外側インターフェース３１及び／または室内側インターフェース５１の故障、室外側伝送制御部３２及び／または室内側伝送制御部５３（後述）の故障等が挙げられる。
【００７３】
逆に、図４に示すように、電源復帰時から第１所定時間が経過する前に伝送確認処理が完了した場合には、室外側処理停止部３６は、停止信号の室内側制御基板５０への出力は行わない。この場合、確定前駆動処理は、伝送確認処理の終了とほぼ同時に終了するためである。
【００７４】
ここで、確定前駆動処理としては、室内ファン４２のみが単独で駆動する処理が挙げられる。つまり、本実施形態に係る空気調和装置１０は、伝送確認処理時、室外ユニット２０側にて室内ファン４２の駆動を停止させることができる構成となっている。なお、確定前駆動処理の詳細については、「（４−２−５）室内ファン制御部）」にて詳述する。
【００７５】
ここで、室外側処理停止部３６が動作する際の条件となる“第１所定時間”は、両ユニット２０，４０の伝送を確定させるのに必要な時間を考慮して、予め適宜設定される。一例としては、“第１所定時間”は、例えば約２０ｓｅｃであることができる。
【００７６】
（４−２）室内側制御基板の詳細
室内側制御基板５０は、上記室外側制御基板３０と同様、ＣＰＵ、ＲＯＭ、ＲＡＭ、トランジスタ、コネクタ等の様々な電子部品がプリント基板上に複数個実装されてなる制御用の基板であって、既に述べたように、接続されている室内ユニット４０内の各種機器（室内ファンモータＭ４２等）の制御を行う。特に、空気調和装置１０に印加される商用電源が瞬間的に停電した後に復電した際、本実施形態に係る室内側制御基板５０は、室外側制御基板３０との間の伝送に関する処理も行うが、当該処理の終了を待たずに、室内ファン４２を単独で運転させる制御も行う（即ち、確定前駆動処理）。
【００７７】
このような処理及び制御動作を行うため、図３に示すように、室内側制御基板５０は、記憶部５２（第１記憶部に相当）を有し、該基板５０上に実装されたＣＰＵ等は、室内側インターフェース５１、室内側伝送制御部５３、判断部５４、室内ファン制御部５５（ファン制御部に相当）、表示制御部５６、及び室内側処理停止部５７として機能する。
【００７８】
（４−２−１）室内側インターフェース
室内側インターフェース５１は、室外側インターフェース３１と同様、室内側制御基板５０と室外側制御基板３０とを伝送線Ｌ１を介して通信可能に接続するためのものである。室内側インターフェース５１は、室外側制御基板３０側へと各種情報を送信したり、該基板３０から各種情報を受信したりする。
【００７９】
ここで、室内側インターフェース５１が送信する情報としては、電源復帰時に行われる伝送確認処理を行うための伝送確認指示、伝送確定情報の他、冷房運転を通常運転として行っている空気調和装置１０の運転情報等が挙げられる。室内側インターフェース５１が受信する情報としては、伝送確認指示に対する確認結果の他、空気調和装置１０が冷房運転を通常運転として行っている際における、圧縮機２２の異常の有無を表す異常情報、及び室外ファン２８の運転情報等が挙げられる。
【００８０】
（４−２−２）記憶部
記憶部５２は、例えば不揮発性メモリで構成されている。記憶部５２は、室内側インターフェース５１が送受信する各種情報を記憶する。
【００８１】
特に、本実施形態に係る記憶部５２は、空気調和装置１０に印加される商用電源が停電状態に移行する直前の、空気調和装置１０の運転状態を記憶することができる。空気調和装置１０の運転状態には、図４〜６に係る室内ファン制御部５５が“駆動Ａ”である期間に、空気調和装置１０が運転を行っているか否かの情報、及び空気調和装置１０が行っている運転に関する各種機器の詳細等が含まれる。
【００８２】
なお、商用電源が空気調和装置１０に印加されており空気調和装置１０が冷房運転を通常運転として行っている状態にて、商用電源は突如として停電する場合がある。そこで、記憶部５２は、空気調和装置１０の運転状態を、例えば所定時間毎に上書きしていくことで、停電直前の空気調和装置１０の運転状態を、記憶しておくことが可能となる。
【００８３】
（４−２−３）室内側伝送制御部
室内側伝送制御部５３は、図４〜６に示すように、空気調和装置１０に印加される商用電源が停電状態から復電状態へと移行した電源復帰時、各ユニット２０，４０間の伝送確認処理を室外側伝送制御部３２と共に実行する。
【００８４】
具体的に、室内側伝送制御部５３は、商用電源が停電状態であるか否かを常時監視している。商用電源が停電し、その後復電した時には、室内側伝送制御部５３は、室外側制御基板３０との通信が可能か否かを確認するべく、伝送確認指示を室内側インターフェース５１に送信させる。これにより、伝送確認処理が開始される。この伝送確認指示に対する応答、つまりは確認結果を室内側インターフェース５１が受信した場合、室内側伝送制御部５３は、両ユニット２０，４０間における通信が正常に行われる状態にあると判断し、伝送が確定した旨と各種機器の運転開始指示とを含む伝送確定情報を、室内側インターフェース５１に送信させる。これにより、室内側伝送制御部５３のみならず、室外側伝送制御部３２も、伝送が確定した旨を把握することができるため、伝送確認処理を終了することができる。そして、室外側制御基板３０は、圧縮機２２、膨張弁２４及び室外ファン２８の駆動を開始することができる。
【００８５】
なお、室内側伝送制御部５３は、両ユニット２０，４０間における通信が正常に行われる状態にあると判断した際、室内ファン制御部５５に対して、室内ファン４２を起動させる内容の起動指示を出力する。
【００８６】
（４−２−４）判断部
判断部５４は、電源復帰時、記憶部５２が記憶している空気調和装置１０の運転状態に基づいて、確定前駆動処理を実行するべきか否かを判断する。ＣＰＵ等によって構成されている判断部５４は、商用電源の復帰によって電力の供給がリスタートされるため、電源復帰時をトリガとして記憶部５２内の情報を取り出すことが可能となる。
【００８７】
具体的には、電源復帰時、判断部５４は、図４〜６の室内ファン制御部５５における“駆動Ａ”の期間での空気調和装置１０の運転状態を、記憶部５２から取り出す。取り出した“駆動Ａ”の期間での空気調和装置１０の運転状態が、例えば室内ファンモータＭ４２が定常回転しており空調対象空間ＲＭに対する冷房運転が行われ続けていたことを示す内容であれば、判断部５４は、停電するまでは空気調和装置１０は正常に冷房運転を通常運転として行っており、停電したことによって空気調和装置１０の冷房運転（つまりは、通常運転）が強制的に停止したと把握することができる。この場合、判断部５４は、伝送確認処理と並行して室内ファン４２に対して確定前駆動処理を実行するべきと判断する。確定前駆動処理では、所謂サーモオフの状態にて、室内ファン４２の回転のみが行われる。
【００８８】
しかし、取り出した“駆動Ａ”の期間での空気調和装置１０の運転状態が、例えば空気調和装置１０が冷房運転を停止していたことを示す内容であれば、判断部５４は、停電によって空気調和装置１０が運転を停止したのではなく、停電の直前には既に空気調和装置１０は運転を停止していたと把握することができる。この場合、判断部５４は、伝送確認処理と並行して室内ファン４２に対して確定前駆動処理を実行するべきではないと判断することができる。
【００８９】
なお、判断部５４による判断結果は、主として、室内ファン制御部５５による室内ファン４２の確定前駆動処理にて用いられる。
【００９０】
（４−２−５）室内ファン制御部
室内ファン制御部５５は、複数のスイッチング素子で構成されるインバータ、及び該素子のオン及びオフを制御するゲートドライバ等で構成されている。室内ファン制御部５５は、室内ファンモータＭ４２をインバータ駆動させることで室内ファン４２を運転させる。つまり、室内ファン制御部５５は、室内ファンモータＭ４２の回転数制御等を行うことで、室内ファン４２をインバータ制御する。これにより、室内ファン４２の風量が制御されるようになる。
【００９１】
更に、本実施形態に係る室内ファン制御部５５は、電源復帰により両ユニット２０，４０間において伝送確認処理が行われている間、当該処理と並行して、室内ファン４２を駆動させる確定前駆動処理を実行することができる。より詳細には、電源復帰時に、判断部５４が、停電状態に移行する直前の空気調和装置１０の運転状態に基づいて確定前駆動処理を実行すべきと判断した場合、室内ファン制御部５５は、確定前駆動処理として、室内ファン４２を所定回転数にて駆動させるための駆動信号を決定し、該信号によって室内ファン４２を駆動させる制御を行う。特に、本実施形態に係る室内ファン制御部５５は、確定前駆動処理の実行の際、吹き出し口４１ｂから空気対象空間へと吹き出される空気量が例えば定格風量（所定量に相当）となるように、予め決定された所定デューティを有する駆動信号を室内ファンモータＭ４２に出力する。所定デューティは、定格風量時の室内ファン４２の所定回転数に対応している。
【００９２】
そして、室内ファン制御部５５は、上記確定前駆動処理を、伝送確認処理が完了した際に終了し、室内ファン４２に対する制御をインバータ制御に切換える。具体的に、伝送確認処理が完了した際、室内ファン制御部５５には、室内側伝送制御部５３が出力した室内ファン４２の起動指示が入力される。そのため、室内ファン制御部５５は、当該起動指示が入力されたことをトリガとして、室内ファン４２に対する制御内容を、確定前駆動処理から通常のインバータ制御へと切換えることができる。
【００９３】
ここで、本実施形態において、両ユニット２０，４０の間の伝送が確定する（つまり、伝送確認処理が完了する）前に、何故室内ファン４２のみを所定回転数にて駆動させるかについて、説明する。従来より、ファンには、インバータ制御されずとも、例えばリレーによる電力のオン及びオフによって簡単に駆動するタイプのものがある。このようなタイプのファンにおいては、例えばプーリー等の、個体差が生じやすい構成部品が含まれており、当該部品のばらつきは、過剰な振動や当該振動に伴う騒音等の、さまざまな問題を引き起こす虞がある。これに対し、本実施形態では、上記問題が引き起こされることのないようにするため、上記構成部品を含まない構成のファンを室内ファン４２として採用している。この室内ファン４２は、室内ファンモータＭ４２に直結することが可能なものであり、インバータ制御させることが必要となっている。しかしながら、インバータ制御される室内ファン４２は、リレーによる電力のオン及びオフ等では起動できず、起動指令の入力によって起動することができる。更に、インバータ制御される室内ファン４２は、起動できたとしても、所望の回転数で回転するまでには、比較的時間がかかってしまう。つまり、本実施形態に係る室内ファン４２は、インバータ制御されるが故に、簡単には所望の回転数にて運転することができない。すると、仮に、伝送確認処理が完了した後に室内ファン４２の起動を開始させる制御が行われると、電源復帰から室内ファン４２が所望の回転数にて運転するようになるまでには、時間がかかってしまう。一方で、この時間の間にも、サーバＳＡ等の熱源は発熱し続けているため、結果的に、空調対象空間ＲＭ内の温度は上昇していくこととなる。
【００９４】
そこで、本実施形態では、電源復帰後、直ちに行われる伝送確認処理と並行して、室内ファン４２のみを所定回転数にて単独で運転させる確定前駆動処理（つまり、所定デューティにて室内ファンモータＭ４２を回転させる運転）を行うのである。これにより、通常運転においてはインバータ制御にて運転されるファンが室内ファン４２として採用されていても、電源復帰後には直ちに所定回転数で回転させることができる。そのため、伝送確認処理の間も、空調対象空間ＲＭの温度は、ほぼ一定に保たれる。
【００９５】
なお、確定前駆動処理を実行するべきではないと判断部５４が判断した場合、室内ファン制御部５５は、上記確定前駆動処理（つまりは、定格風量の空気が空調対象空間ＲＭに供給されるように、室内ファン４２を所定回転数にて駆動させる処理）を、伝送確認処理と並行して行わない。この場合、室内ファン制御部５５は、伝送確認が完了した直後に、所謂サーモオンの状態にて室内ファンモータＭ４２をインバータ制御にて起動させることで、室内ファン４２を通常運転させる。何故ならば、この場合、停電によって室内ファン４２の運転が強制的に停止したわけではなく、例えばリモートコントローラ等を介して“運転停止指示”がなされたことによって、室内ファン４２の運転が停電前には既に停止していたと考えられるからである。
【００９６】
また、本実施形態に係る室内ファン４２の確定前駆動処理は、室内側インターフェース５１が停止信号を受信した場合、たとえ伝送確認処理中であっても、強制的に終了される（図５参照）。また、確定前駆動処理は、室内側処理停止部５７による停止動作が行われた場合も、強制的に終了される。なお、図５に示すように、確定前駆動処理の強制終了後、室内ファン制御部５５は、伝送確認処理が完了したタイミングで、室内ファン４２をインバータ制御により再起動させてもよい。
【００９７】
更に、本実施形態に係る室内ファン制御部５５は、図６に示すように、停電発生時からの経過時間が第２所定時間を越えた場合には、室内ファン４２に対する確定前駆動処理を行わない。具体的に、室内ファン制御部５５は、商用電源が復帰した時、停電発生時から電源復帰時までの時間を求め、この時間が第２所定時間を越えていれば、室内ファン４２に対する確定前駆動処理を行わない。この場合、室内ファン制御部５５は、伝送確認処理が完了したタイミングで、室内ファン４２をインバータ制御により再起動させる。停電発生時からの経過時間が比較的長いと、その間に冷媒回路１０ａ内において冷媒が溜まってしまい、圧縮機２２等が正常に運転しなくなる等の不具合が生じる恐れがある。そのため、空気調和装置１０は、従来の起動方法と同様、両ユニット２０，４０を構成する各種機器を、伝送確認処理の完了後に運転させるのである。従って、本実施形態に係る確定前駆動処理は、停電発生時からの経過時間が第２所定時間以内である場合に、行われるということができる。
【００９８】
ここで、“第２所定時間”とは、瞬間的に停電が生じる程度の時間である。一例として。第２所定時間は、例えば約１０ｓｅｃであることができる。
【００９９】
（４−２−６）表示制御部
表示制御部５６は、室内側表示部４４の表示動作を制御する。具体的には、表示制御部５６は、室内側表示部４４を構成する複数の発光ダイオードそれぞれの発光及び消灯制御、発光色の可変制御、点滅や点灯等を含む発光パターンの可変制御を行うことで、室内側表示部４４に各種情報を表示させる。
【０１００】
より詳細には、表示制御部５６は、図４に示すように、電源復帰時から第１所定時間経過するまでに伝送確認処理が完了した場合には、伝送確認処理が正常に完了している旨を報知するべく、発光ダイオードを青色に点灯させる。図５に示すように、電源復帰時から第１所定時間が経過しても、なおも伝送確認処理が行われている場合には、表示制御部５６は、両ユニット２０，４０間において伝送異常が生じている可能性があることを報知するべく、発光ダイオードを赤色に点滅させる。これにより、空気調和装置１０のユーザ及びサービスマンは、両ユニット２０，４０における伝送異常の有無を、容易に知ることができる。
【０１０１】
（４−２−７）室内側処理停止部
室内側処理停止部５７は、既に述べた室外側処理停止部３６と同様、電源復帰時から第１所定時間が経過しても、なおも伝送確認処理が行われている場合には、室内ファン制御部５５が室内ファン４２に対して行っている確定前駆動処理を強制的に停止させる。これにより、両ユニット２０、４０間の伝送異常が生じている一方で、室内ファン４２のみが運転し続けてしまうことを、防止することができる。
【０１０２】
逆に、図４に示すように、電源復帰時から第１所定時間が経過する前に伝送確認処理が完了した場合には、室内ファン４２に対する確定前駆動処理は、室内側処理停止部５７が強制的に停止させずとも、伝送確認処理とほぼ同時に停止する。
【０１０３】
（５）動作
図７は、本実施形態に係る室外ユニット２０及び室内ユニット４０それぞれが行う一連の動作の流れを説明するための図である。以下では、はじめに、空気調和装置１０には電源が印加されており、該装置１０は既に冷房運転を通常運転として行っているものとする。
【０１０４】
ステップＳ１〜Ｓ２：室内ユニット４０の室内側制御基板５０における記憶部５２には、空気調和装置１０の運転状態が、例えば所定時間毎に記憶される。空気調和装置１０の運転状態の記憶部５２への記憶動作は、停電しない限り、行われる（ステップＳ２のＮｏ）。
【０１０５】
ステップＳ３〜Ｓ４：停電が生じた場合（ステップＳ２のＹｅｓ）、室外ユニット２０及び室内ユニット４０への電源供給が断たれるため、両ユニット２０，４０を構成する各種機器の運転が停止する（ステップＳ３，ステップＳ４）。
【０１０６】
ステップＳ５〜Ｓ７：ステップＳ３，Ｓ４の後に復電が生じた場合（Ｓ５のＹｅｓ）、各伝送制御部３２，５３において、両ユニット２０，４０の伝送確認処理が開始される（ステップＳ６，Ｓ７）。なお、復電が生じない場合には（Ｓ５のＮｏ）、ステップＳ３，Ｓ４の状態が維持されることとなる。
【０１０７】
ステップＳ８〜Ｓ９：停電発生時から復電時（つまり電源復帰時）までの間の時間が、第２所定時間以内であって（Ｓ８のＹｅｓ）、且つ停電直前の空気調和装置１０の運転状態が“運転中”であれば、図４に示すように、室内ファン制御部５５は、室内ファン４２に対し、確定前駆動処理を行う（Ｓ９）。ステップＳ９での確定前駆動処理により、室内ファン４２のみが最大回転数で回転を行う。なお、この処理の間、所謂サーモオフの状態が維持されるため、室内ファン４２から送られてくる定格風量の空気は、あまり熱交換のなされていない空気となっている。
【０１０８】
ステップＳ１０：ステップＳ８において、停電発生時から復電時までの間の時間が第２所定時間以上である場合（Ｓ８のＮｏ）、図６に示すように、ステップＳ９に係る確定前駆動処理は行われない。また、停電直前の空気調和装置１０の運転状態が“運転停止”であった場合にも、ステップＳ９に係る確定前駆動処理は行われない。これらの場合、室内ファン４２に対しては、伝送確認処理の完了後に（Ｓ１６のＹｅｓ）、インバータ制御による起動が行われる（Ｓ１２）。
【０１０９】
ステップＳ１１〜Ｓ１３：伝送確認処理が完了した場合（Ｓ１１のＹｅｓ）、室内側制御基板５０から室外側制御基板３０へは、伝送が確認した旨と各種機器の運転開始指示とを含む伝送確定情報が送られる。室内ファン制御部５５は、室内ファン４２に対する制御内容を、確定前駆動処理からインバータ制御へと切換える（Ｓ１２）。室外側制御基板３０においては、伝送確定情報の受信動作、及び圧縮機２２等の室外ユニット２０を構成する各種機器の運転開始制御が行われる（Ｓ１３）。
【０１１０】
ステップＳ１４〜Ｓ１５：ステップＳ１１において伝送確認処理が完了しておらず、且つ復電時（つまりは、電源復帰時）から第１所定時間が経過した場合（Ｓ１４のＹｅｓ）、室外側処理停止部３６または室内側処理停止部５７は、室内ファン４２に対して行われている確定前駆動処理を、強制的に終了させる（Ｓ１５）。これにより、室内ファン４２は、図５に示すように、強制的に運転を停止された状態となる。
【０１１１】
なお、ステップＳ１４において、復電時から第１所定時間が経過していない場合（Ｓ１４のＮｏ）、ステップＳ１１の動作が繰り返される。
【０１１２】
ステップＳ１６：ステップＳ１０，Ｓ１５の後、伝送確認処理が完了した場合には（Ｓ１６のＹｅｓ）、各ユニット２０，４０において、ステップＳ１２，Ｓ１３の動作が行われる。ステップＳ１６において、伝送確認処理が完了しない場合には（Ｓ１６のＮｏ）、伝送確認処理が完了するまで、ステップＳ１５，１０それぞれの状態が維持されることとなる。
【０１１３】
（６）特徴
（６−１）
本実施形態では、商用電源が停電状態から復電状態へと移行した電源復帰時、室外ユニット２０と室内ユニット４０との間の伝送確認処理と並行して、室内ファン４２が単独で運転を行う。そのため、室内ファン４２は、復電してから直ちに駆動することができる。
【０１１４】
従って、室内ファン４２を早急に動かす必要のある場所（つまり、サーバルームである空調対象空間ＲＭ）では、停電及び復電が生じても、空気調和装置１０は、該空間ＲＭ内の温度をある程度一定に保つことができる。
【０１１５】
（６−２）
本実施形態に係る記憶部５２は、商用電源が停電状態に移行する直前の空気調和装置１０の運転状態を記憶する。判断部５４は、電源復帰時、記憶部５２が記憶している空気調和装置１０の運転状態に基づいて、確定前駆動処理を実行すべきか否かを判断する。そして、確定前駆動処理を実行すべきと判断部５４が判断した場合、室内ファン制御部５５は、確定前駆動処理を実行する。この確定前実行処理においては、吹き出し口４１ｂから吹き出される空気量が定格風量となるように、室内ファン４２を所定回転数にて回転させるための駆動信号が決定され、この駆動信号によって室内ファン４２が駆動される。
【０１１６】
これにより、停電状態に移行する直前の空気調和装置１０の運転状態に応じて、電源復帰後、室内ファン４２は、各伝送制御部３２，５３による伝送確認処理と並行して、定格風量の空気を空調対象空間ＲＭ内に供給させるべく所定回転数にて運転する場合が生じる。従って、本来であればインバータ駆動される室内ファン４２を、電源復帰時であっても確実に運転させることができる。
【０１１７】
（６−３）
ところで、室外ユニット２０と室内ユニット４０との間の伝送確認処理がなかなか完了しない場合には、両ユニット２０，４０間において伝送異常等が生じている虞がある。しかし、本実施形態に係る空気調和装置１０は、電源復帰時から第１所定時間経過しても、未だ伝送確認処理が完了していない場合には、伝送確認処理と並行して行われている確定前駆動処理（即ち、室内ファン４２の単独運転）を停止する。
【０１１８】
これにより、伝送異常等が生じている一方で室内ファン４２が運転をし続けていることを、防止することができる。
【０１１９】
（６−４）
本実施形態に係る室内側表示部４４は、電源復帰時から第１所定時間経過した時に伝送確認処理が完了していない場合、その旨を表示する。
【０１２０】
これにより、伝送が確定していない異常状態であることを、空気調和装置１０のユーザ及びサービスマンは、容易に知ることができる。
【０１２１】
（６−５）
本実施形態に係る室内ファン制御部５５は、商用電源が停電状態から復電状態に移行するまでの時間が第２所定時間経過した時、確定前駆動処理を実行しない。
【０１２２】
これにより、停電状態から復電状態へと移行する間に冷媒回路１０ａにおいて冷媒が溜まってしまい、故に圧縮機２２等が正常に動作しない恐れがある一方で、室内ファン４２が単独運転している状態を、防止することができる。
【０１２３】
（６−６）
本実施形態に係る空気調和装置１０では、伝送確認処理が完了した後に、圧縮機２２が運転を行う。これにより、室外ユニット２０と室内ユニット４０との間の伝送が正常だと確認された上で、圧縮機２２は運転を開始する。
【０１２４】
従って、空気調和装置１０は、正常な運転を行うことができる。
【０１２５】
（７）変形例
（７−１）変形例Ａ
上記実施形態では、室内ファン４２の確定前駆動処理が、予め決定された所定回転数にて室内ファン４２を運転させる処理であると説明した。しかし、確定前駆動処理は、予め決定された所定回転数にて室内ファン４２を運転させる処理ではなく、停電状態に移行する直前の室内ファン４２の運転状態に応じた運転を室内ファン４２に行わせる処理であっても良い。
【０１２６】
この場合、記憶部５２（第２記憶部に相当）には、上記実施形態と同様、停電状態に移行する直前の室内ファン４２の運転状態が記憶される。室内ファン制御部５５は、電源復帰時、記憶部５２が記憶している室内ファン４２の運転状態に基づいて、室内ファン４２を駆動させるための駆動信号を決定する。そして、室内ファン制御部５５は、該駆動信号によって室内ファン４２を駆動させる確定前駆動処理を実行する。つまり、インバータ駆動される室内ファン４２は、復電後も、停電直前の状態で引き続き運転を行うこととなる。
【０１２７】
これにより、停電後、室内ファン４２は、停電直前の駆動信号によって駆動することとなる。従って、電源復帰時であっても、インバータ駆動される室内ファン４２を確実に運転することが可能となる。
【０１２８】
（７−２）変形例Ｂ
上記実施形態に係る図５では、電源復帰時から第１所定時間以上経過した後に伝送確認処理が完了した場合を表している。特に、図５では、電源復帰時から第１所定時間が経過した時に、室内ファン４２に対する確定前駆動処理が強制終了され、伝送確認処理が完了した後、室内ファン４２は再度インバータ制御にて運転開始されることを表している。
【０１２９】
しかし、確定前駆動処理が強制終了された場合には、当該強制終了後に伝送確認処理が完了したか否かに関わらず、室内ファン４２を含めて全ての各種機器は運転停止の状態を維持したままであってもよい。この場合、室内側表示部４４は、確定前駆動処理が強制終了した旨を表示することが好ましい。
【０１３０】
これにより、空気調和装置１０の利用者及びサービスマンは、両ユニット２０，４０間の伝送異常が生じている可能性があることを知ることができる。
【０１３１】
（７−３）変形例Ｃ
上記実施形態では、図２に示すように、室外ユニット２０に含まれる圧縮機２２が１台である場合について説明した。しかし、室外ユニット２０に含まれる圧縮機は、２台以上であってもよい。
【０１３２】
この場合、室外ユニット２０は、可変容量タイプの圧縮機を１台、一定容量タイプの圧縮機を１台以上含むことができる。この場合においても、全ての圧縮機は、図４〜６に示すように、伝送確認処理が完了した後に、運転を行う。
【０１３３】
（７−４）変形例Ｄ
上記実施形態では、図１，２に示すように、空気調和装置１０に含まれる室外ユニット２０の台数が１台である場合について説明した。しかし、空気調和装置１０に含まれる室外ユニットの台数は、１台ではなく、複数台であってもよい。
【０１３４】
この場合、伝送確認処理には、どの室外ユニットが親機であってどの室外ユニットが子機であるのかを確認する処理も、含まれる。
【０１３５】
（７−５）変形例Ｅ
上記実施形態では、圧縮機２２、室外ファン２８及び室内ファン４２が、インバータ制御される場合について説明した。しかし、本発明では、インバータ制御の対象として室内ファン４２が該当すればよく、圧縮機２２及び室外ファン２８は、インバータ制御されないタイプのものであってもよい。
【０１３６】
（７−６）変形例Ｆ
上記実施形態では、図３に示すように、確定前駆動処理を強制的に停止させることのできる機能部として、室外側制御基板３０と室内側制御基板５０との両方に、処理停止部３６，５７が備えられている場合について説明した。しかし、処理停止部は、室外側制御基板３０及び室内側制御基板５０のいずれか一方にのみ設けられていても良い。
【０１３７】
（７−７）変形例Ｇ
また、電源復帰時から第１所定時間が経過した時に伝送確認処理が完了していない場合、この旨を表示できる表示部が、室内側表示部４４として室内ユニット４０側に設けられている場合について説明した。
【０１３８】
しかし、当該表示部は、室内ユニット４０側ではなく室外ユニット２０側に設けられていても良い。または、当該表示部は、室内ユニット４０側及び室外ユニット２０側の両方に設けられていても良い。
【０１３９】
（７−８）変形例Ｈ
上記実施形態では、電源復帰時から第１所定時間が経過した時に伝送確認処理が完了していない旨の報知手段が、室内側表示部４４への表示である場合について説明した。
【０１４０】
しかし、当該報知手段は、表示に限定されず、音声やブザー等の音のみ、表示と音との組み合わせ等であってもよい。
【０１４１】
（７−９）変形例Ｉ
上記実施形態では、確定前駆動処理の際、吹き出し口４１ｂから吹き出される空気量が定格風量となるように、室内ファン４２を所定回転数にて駆動させる場合について説明した。
【０１４２】
しかし、確定前駆動処理の際に吹き出し口４１ｂから吹き出される空気量は、定格風量ではなくてもよい。当該空気量は、例えば空気調和装置１０が利用される環境条件等に基づいて、予め適切な値に決定されていることができる。
【符号の説明】
【０１４３】
１０  空気調和装置
２０  室外ユニット
２１  室外ケーシング
２２  圧縮機
Ｍ２２  圧縮機モータ
２３  室外熱交換器
２４  膨張弁
２５  液側閉鎖弁
２６  ガス側閉鎖弁
２７  アキュムレータ
２８  室外ファン
Ｍ２８  室内ファンモータ
３０  室外側制御基板
３１  室外側インターフェース
３２  室外側伝送制御部（伝送制御部）
３３  圧縮機制御部
３４  膨張弁制御部
３５  室外ファン制御部
３６  室外側処理停止部（処理停止部）
４０  室内ユニット
４１  室内ケーシング
４２  室内ファン
Ｍ４２  室内ファンモータ
４３  室内熱交換器
４４  室外側表示部
５０  室内側制御基板
５１  室内側インターフェース
５２  記憶部（第１記憶部、第２記憶部）
５３  室内側伝送制御部（伝送制御部）
５４  判断部
５５  室内ファン制御部（ファン制御部）
５６  表示制御部
５７  室内側処理停止部（処理停止部）
Ｐｉ１，Ｐｉ２  冷媒配管
Ｌ１  伝送線
ＲＭ  空調対象空間
ＳＡ  サーバ
【先行技術文献】
【特許文献】
【０１４４】
【特許文献１】特開２０１０−２６１６２３号公報
【要約】
【課題】電源の復帰後、直ちに室内ファンを駆動する。
【解決手段】圧縮機２２は、室外ケーシング２１内に配置され、室内熱交換器４３及び室内ファン４２は、室内ケーシング４１内に配置されている。室内ファン制御部５５は、室内ファン４２をインバータ制御する。室外側伝送制御部３２及び室内側伝送制御部５３は、商用電源が停電状態から復電状態へと移行した時である電源復帰時に、室外ユニット２０と室内ユニット４０との間の伝送確認処理を実行する。室内ファン制御部５５は、電源復帰時、各伝送制御部３２，５３による伝送確認処理と並行して、室内ファン４２を駆動させる確定前駆動処理を実行する。
【選択図】図４【図１】
0005472425.tif 000002
【図２】
0005472425.tif 000003
【図３】
0005472425.tif 000004
【図４】
0005472425.tif 000005
【図５】
0005472425.tif 000006
【図６】
0005472425.tif 000007
【図７】
0005472425.tif 000008